(57)【要約】【課題】  従来の送風機を備えた画像表示装置では、テレビ画面を挟んで互いに離れた箇所にある送風口から風が送風され構造であった。その為、テレビ画面に窓から見える風景を表示させ、送風口から風を送風させることにより窓から風が吹き込んでくる状況を模擬するような場合、テレビ画面窓を表示したテレビ画面の表面からではなく、その横から風が吹出すため、窓から吹き込む風を生成できず臨場感に欠けるという課題があった。【解決手段】  画像表示部の画面周辺に複数個設けられた吹出し口より、前記画面の中心に対して互いに寄り集まる方向に吹出した風が互いに衝突することで、前記画面から前方に向かって風を送出させることが出来る。【選択図】        図２
2006352424.tif 000002
【特許請求の範囲】
【請求項１】
筐体に装着され、筐体前面に画像が表示される画面を有する画像表示部と、
前記筐体内部に配設される送風手段と、
前記送風手段からの風の吹出し方向を前記画面の中央に向けて傾斜させた吹出し口を前記画像表示部の画面周辺に複数有する送風路を備えた画像表示装置。
【請求項２】
送風手段が、各吹出し口に対応して設けられた事を特徴とする
請求項１項記載の画像表示装置。
【請求項３】
送風路に設けられた吹出し口から吹出された風の画面に対する角度が、２０度より大きく、かつ８０度より小さいことを特徴とする
請求項１項乃至２項記載の画像表示装置。
【請求項４】
送風路に設けられた吹出し口から吹出す風の量と速度を制御する制御手段を有することを特徴とする
請求項１乃至２項記載の画像表示装置。
【請求項５】
送風路に設けられた吹出し口から吹出す風の量、及び速度を、各吹出し口毎に制御する制御手段を有することを特徴とする
請求項１乃至２項記載の画像表示装置。
【請求項６】
画像表示手段に表示される画像に応じて、送風路構成部に設けられた吹出し口から吹出す風の量、及び速度を、各吹出し口毎に制御する制御手段を有することを特徴とする
請求項１乃至２項記載の画像表示装置。
【発明の詳細な説明】
【技術分野】
【０００１】
本発明は、送風手段と画像表示部とを備えた画像表示装置に係わり、画像表示部の画面の表面から前方に対して吹出す風を模擬する画像表示装置に関するものである。
【背景技術】
【０００２】
近年の住宅事情の悪化やマンションの普及等により、窓が無い部屋が増えている。窓のない部屋は、殺風景であり心理的にも閉塞感を与え居住性が悪い。また、窓があったとしても、そこから見える景色は常に一定であり変化に乏しい。その為、仮想的な窓を設置したいという要望がある。
【０００３】
このような要望に対処可能な従来技術として、テレビ装置の前面においてテレビ画面を挟んで左右一対の空気吹出し口と、この空気吹出し口から送風される風量を制御可能な送風制御手段とを備え、風の強さ、方向、動き等を再現できるテレビ装置が提案がされている （例えば特許文献１）。
【０００４】
【特許文献１】特開２００２−２７３５７号公報(第２−３頁、図１、２)
【発明の開示】
【発明が解決しようとする課題】
【０００５】
しかし、前記技術を用いた場合、テレビ画面を挟んで互いに離れた個所にある送風口から吹出される風は、テレビ画面の中央部に向かって吹出されずに、テレビ画面に対して垂直方向に吹出されていた。その為、例えば、テレビ画面に窓から見える風景を表示させ、送風口から送風させることにより窓から風が吹き込んでくる状況を模擬するような場合、窓を表示したテレビ画面の表面からではなく、画面の横から風が吹出すことになる。従って、窓から吹き込む風を生成できず臨場感に欠けるという課題があった。
【課題を解決するための手段】
【０００６】
本発明に係る画像表示装置は、筐体に装着され、筐体前面に画像が表示される画面を有する画像表示部と、前記筐体内部に配設される送風手段と、前記送風手段からの風の吹出し方向を前記画面の中央に向けて傾斜させた吹出し口を前記画像表示部の画面周辺に複数有する送風路とより構成されるものである。
【発明の効果】
【０００７】
本発明は、画像表示部の画面周辺に複数個設けられた吹出し口より、前記画面の中心に対して互いに寄り集まる方向に吹出した風が互いに衝突することで、前記画面から前方に向かって風を送出させることが出来る。
【発明を実施するための最良の形態】
【０００８】
実施の形態１．
以下、本発明の実施の形態１における画像表示装置について説明する。尚、以降の各図面において同一番号の構成要素は同一のものとする。
【０００９】
図１は実施の形態１における画像表示装置の斜視図である。図１に示すように、筐体１の前面に装着された画像表示部２の画面３の周辺には、風を吹出す吹出し口４ａ、４ｂ、４ｃ、及び４ｄが設けられている。図２の（ａ）は実施の形態１における画像表示装置の内部構成を示す構成図であり、図２の（ｂ）は、図２の（ａ）のＸ−Ｘの面で切断した断面図である。
【００１０】
次に、図２により各部の説明を行う。図２の（ａ）において、筐体１には風を発生させる送風手段である送風機５が設けられている。送風機５としては、例えば吹出し静圧が高いターボファンやシロッコファン等が適している。その送風機５の風を送出する送出部６ａ、及び６ｂには、夫々風を導出するＬ字型で管状の送風路７ａ、及び送風路７ｂが設けられている。その送風路７ａには、送風路７ａを流れる風を吹出す吹出し口４ａ及び４ｂが設けられており、同様に送風路７ｂには、送風路７ｂを流れる風を吹出す吹出し口４ｃ及び４ｄが設けられている。そして、吹出し口４ａ、４ｂ、４ｃ、及び４ｄに囲まれるように、画像表示部２が設けられ、その画面３が筐体１の表面に露出されて画像表示装置８が構成される。
【００１１】
次に、図２を用いて実施の形態１の画像表示装置８により生成される風の流れについて説明する。図２の（ａ）において、送風機５により生成され、送出部６ａにより送出された気流Ａ１は、送風路７ａ内を通り、その一部の気流が気流Ｂ１として吹出し口４ａから吹出される。送風路７ａ内をさらに通過した気流Ａ２は、気流Ｂ２として吹出し口４ｂから吹出される。同様に、送風機５により生成され、送出部６ｂにより送出された気流Ａ３は、送風路７ｂ内を通り、その一部の気流が気流Ｂ３として吹出し口４ｃから吹出される。送風路７ｂ内をさらに通過した残りの気流Ａ４は、気流Ｂ４として吹出し口４ｄから吹出される。
【００１２】
そして、吹出し口４ａ、４ｂ、４ｃ、及び４ｄから吹出された気流Ｂ１、Ｂ２、Ｂ３、及びＢ４は、互いに寄り集まるように方向付けがなされているため、画面３の前方で合流し、図２の（ｂ）に示すように画面３に対して垂直な気流Ｃを生成し、画面３の表面から前方に対して風が吹出すような効果を与えることが出来る。
【００１３】
次に、吹出し口４ａ、４ｂ、４ｃ、及び４ｄから吹出された気流の角度について説明する。図３は、図２の（ｂ）と同じ構成を示す図面であり吹出し口の角度を説明する為の図である。図３において、吹出し口から吹出された風の画面に対する角度を、各吹出し口の中央を夫々結ぶ線により構成される面に対して、気流の吹出す方向とのなす角度とする。吹出し口が２つしかない場合は、吹出し口から吹出された風の画面に対する角度は、各吹出し口の中央を夫々結ぶ線に対して、気流の吹出す方向とのなす角度とする。画面３は平面であっても曲面であっても前記角度の定義は同じである。そして、この角度Ｔ１は、０度より大きく、かつ、９０度より小さくすることで、気流Ｃを生成することができる。さらに、この気流Ｃを効率よく生成させる為には、この角度Ｔ１を、２０度より大きく、かつ８０度より小さくすることが望ましい。また、送風機５の駆動電圧を変化させることにより、各吹出し口から吹出される気流の量を調整することにより、画像表示部２の表面から送出される気流Ｃの風量を調節することができる。
【００１４】
以上のように、実施の形態１の画像表示装置８によれば、画像表示部２の画面３の周辺に複数個設けられた吹出し口４ａ、４ｂ、４ｃ、及び４ｄから、画面３の中心に対して互いに寄り集まる方向に吹出した風が互いに衝突することで、画面３から前方に向かって風を送出させることが出来る。それにより、画面３に窓や風景の画像を表示させ、その窓などの画像の表面から風が吹出される状況を模擬することが出来、臨場感を与えるという効果を得ることが出来る。
【００１５】
尚、実施の形態１において、各対向する吹出し口から吹出される気流の量を等しくする為に、送風路７ａ、７ｂの形状を先端に行くほど狭くしたり、各吹出し口と送風路の間に、可動式のダンパーなどの風量調節器を設けても良い。
【００１６】
実施の形態２．
実施の形態１では、送風機５を１つのみ設けた場合を示したが、実施の形態２では、各吹出し口毎に送風機を設けた場合について示す。
【００１７】
図４は、実施の形態２の内部構成を示す構成図であり、図４の（ｂ）は、図４の（ａ）のＹ−Ｙの面で切断した断面図である。図４において、送風機９ａの送出部１０ａには送風路１１ａが設けられている。その送風路１１ａには、吹出し口４ａが設けられている。同様に、送風機９ｂ、９ｃ、及び９ｄの送出部１０ｂ、１０ｃ、及び１０ｄには送風路１１ｂ、１１ｃ、及び１１ｄが設けられ、その各送風路には、夫々吹出し口４ｂ、４ｃ、及び４ｄが設けられている。それ以外の構成要素は実施の形態１と同様である。
【００１８】
次に、図４を用いて実施の形態２の画像表示装置８により生成される気流について説明する。図４の（ａ）において、送風機９ａにより生成され、送出部１０ａにより送出された気流は、送風路１１ａを通過し気流Ｂ１として吹出し口４ａから吹出される。同様に、送風機９ｂ、９ｃ、及び９ｄにより生成され、送出部１０ｂ、１０ｃ、及び１０ｄにより送出された気流は、送風路１１ｂ、１１ｃ、及び１１ｄを通過し、気流Ｂ２、Ｂ３、及びＢ４として、夫々吹出し口４ｂ、４ｃ、及び４ｄから吹出される。
【００１９】
そして、吹出し口４ａ、４ｂ、４ｃ、及び４ｄから吹出された気流Ｂ１、Ｂ２、Ｂ３、及びＢ４は、実施の形態１と同様に、画面３の前方で合流し、図４の（ｂ）に示すように画面３に対して垂直な気流Ｃを生成し、画面３の表面から前方に対して吹出す風を生成することが出来る。
【００２０】
図５は、図４の（ｂ）と同じ構成を示す図面であり合流した気流Ｃの方向を説明する為の図である。前記のように、各吹出し口毎に送風機を設けているので、各送風機を駆動する電圧を変化させる等により送風機から送出する風の量、速度を変化させることにより、各吹出し口から吹出す気流の量を個別に変化させることが出来る。それにより、図５に示すように、例えば吹出し口４ａから吹出す気流Ｂ１の風量または風速を吹出し口４ｄから吹出す気流Ｂ４よりも大きくした場合、合流して出来る気流Ｃは、画面３に対して垂直ではなく、画面３に対する垂直軸に対して角度Ｔ２だけ傾いて送風される。
【００２１】
以上のように、実施の形態２の画像表示装置８によれば、各吹出し口毎に送風機を設け、吹出す気流の量を個別に調整可能とした為、画面３から前方に向かって送出させる風の角度を変えることが出来る。それにより、画像表示部２の画面に表示する画像から、吹き込んでくる外風を臨場感高く演出することができる。
【００２２】
尚、実施の形態２においては、送風機を複数設けて、各吹出し口から送出される風の量を変化させる例について述べたが、これに限定されること無く、実施の形態１において、各吹出し口の手前に風路に流れる風量を制御する可動式のダンパー等の風量調節器を備えて、吹出す風量を個別に変化させても同様の効果が得られる。
【００２３】
実施の形態３．
実施の形態３では、画像表示部に表示される画像に応じて、音声を出力させ、画像表示装置の画面３から吹出される気流の量、速度を変化させる場合について示す。
【００２４】
図６は、実施の形態３の画像表示装置のブロック図である。図６により実施の形態３の画像表示装置の回路構成について説明する。例えば、制御プログラムを格納したメモリを内蔵するマイクロコンピュータなどによる制御手段２０と、画像データを記憶する画像データ記憶部２１、音声データを記憶する音声データ記憶部２２、及び風量調節器制御データを記憶部する風量調節器制御データ記憶部２３とは、制御線ａを介して接続される。そして、画像データ記憶部２１と、画像データを再生する画像データ再生部２４とは、データ線ｂを介して接続され、画像データ再生部２４と画像を表示する画像表示部２５とはデータ線ｃを介して接続される。同様に、音声データ記憶部２２と、音声データを再生する音声データ再生部２６とは、データ線ｄを介して接続され、音声データ再生部２６と、音声を出力する音声出力部２７とは、データ線ｅを介して接続される。同様に、風量調節器制御データ記憶部２３と風量調節器を制御する風量調節器制御部２８とは、制御線ｆを介して接続され、風量調節器制御部２８と風量調節器２９とは、制御線ｇを介して接続される。
【００２５】
図７は、実施の形態３の画像表示装置の内部構成を示す構成図である。図７において１２ａ、及び１２ｂは音声出力部であり、１３ａ、１３ｂ、１３ｃ、及び１３ｄは風量調節器制御部であり、１４ａ、１４ｂ、１４ｃ、及び１４ｄは風量調節器である。また、制御手段２０、画像データ記憶部２１、音声データ記憶部２２、風量調節器制御データ記憶部２３、画像データ再生部２４、及び音声データ再生部２６は、例えば点線で囲まれた領域Ｄに設けてある。それ以外の構成は実施の形態１と同一である。
【００２６】
次に、動作について説明する。まず、画像表示装置８の電源を起動すると、制御手段２０から制御信号ａが出力される。それにより、画像データ記憶部２１に記憶された画像データはデータ線ｂを介して画像データ再生部２４に出力され、画像データ再生部２４によりその画像データが再生され、再生した画像信号がデータ線ｃを介して画像表示部２５に出力され、その画像信号に応じた画像が画像表示部に表示される。ここで、画像データは、例えばアナログまたはディジタル画像データであり、画像データ再生部２１は、例えばアナログまたはディジタルビデオプレーヤーであり、画像表示部はアナログ画像または、またはディジタル画像を表示するものである。
【００２７】
同様に、制御信号ａが出力されると、音声データ記憶部２２に記憶された音声データがデータ線ｄを介して音声データ再生部２６に出力され、音声データ再生部２６によりその音声データが再生され、再生された音声信号はデータ線ｅを介して音声出力部２７に出力され、その音声信号に応じた音声が音声出力部から出力される。ここで、音声データは、例えばアナログまたはディジタル音声データであり、画像データと同一記憶媒体に記憶されている。または、画像データと別な記憶媒体に記憶されてもよい。音声データ生成部２６は、例えばアナログまたはディジタルビデオプレーヤーの音声再生部、またはアナログまたはディジタルテープ等の再生器であり、音声出力部はスピーカー等である。
【００２８】
同様に、制御信号ａが出力されると、風量調節器制御データ記憶部２３に記憶された風量調節器制御データが制御線ｆを介して風量調節器制御部２８に出力され、風量調節器制御部２８により、風量調節器制御データが解読され制御信号が制御線ｇを介して風量調節器２９に出力され、その制御信号に応じて風量が調節される。ここで風量調節器制御データは、アナログデータまたはディジタルデータであり、風量調節器御部２８は例えばステッピングモーターであり、風量調節器２９はステッピングモーターにより制御される可動式ダンパーなどである。
【００２９】
前記の音声データと風量調節器制御データは、画像データで表示する画像と対応するように記録されている。例えば、画像データが窓から海が見える景色で風が画面に向かって右から左に吹いている様子を表示するような場合、音声データはその画像に応じた波や風の音声のデータであり、風量調節器制御データは、画面に向かって右から左の方向に風が吹くような風量調整器制御データとする。具体的には、図７において、始めはＢ４の気流をＢ１の気流より多くするように制御し、徐々にＢ４の気流を少なくし、逆にＢ１の気流を多くするように制御する。
【００３０】
また、前記の各種データは、複数種類のデータを備えている。例えば、前記の海の風景の他、山の風景、川の風景、都会のビルの風景、田舎の畑の風景、列車からの車窓、または世界各地の観光地の風景などである。そして、制御手段には図示しない選択スイッチがあり、この選択スイッチにより、前記の記憶された各種データを選択して再生または再生終了することができる。すなわち、選択スイッチにより、前記の海の風景を再生させたり、山の風景、川の風景などを再生することができる。また、選択スイッチにより、再生している画像の途中で停止させ、静止画として表示させるようにしてもよい。また、風量調節器制御データとして、再生する画像とは独立した制御データを用意しておき、通常の扇風機のように、風の強弱、風の吹く向き、ランダム送風、タイマー動作などの動作が出来るようにしてもよい。また、図６のブロック図において、画像表示部２５の手前にテレビチューナーを設け、その出力である画像信号をデータ線ｃを介して画像表示部２５に出力させ、音声信号をデータ線ｅを介して音声出力部２７に出力させてもよい。また、ラジオチューナーを設け、その出力である音声信号をデータ線ｅを介して音声出力部２７に出力させてもよい。さらに、前記のテレビ画像、音声またはラジオの音声を出力しながら、風量調節器制御データを通常の扇風機のように使用してもよい。さらにまた、画像データ及び音声データとしてテレビコマーシャルのような広告を表示する画像及び音声とし、前記の風量調節器制御データを通常の扇風機の制御データとしたものを使用し、この画像表示装置を地下鉄の構内やビルの入り口などの公共の場に設けて、涼しさを求めて集まった人に対し広告を表示するような、新たな広告媒体として用いてもよい。さらにまた、画像表示部を液晶表示装置とし、そのバックライトと液晶表示を消し、例えば表面に設けた特殊な素材に電流を流すなどにより画像表示部の画面の表面の反射率を上げて、鏡のようにしてもよい。
【００３１】
以上のように、実施の形態３の画像表示装置８によれば、画像表示部に表示される画像に応じて、音声を出力させ、画像表示装置の画面３から吹出される気流Ｃの量、速度を変化させることが出来る。それにより、画像表示部２の画面に表示する画像から、吹き込んでくる外風をより臨場感高く演出することができる。
【００３２】
尚、実施の形態３においては、画像データと音声データと風量調節器制御データとを独立した場合について示したが、例えば、通常のビデオデッキの記録フォーマットを流用して、画像データ及び音声データは通常通りのフォーマットとし、他の制御データで未使用の制御データ部分を風量調節器制御データ用に使用することで、これら３種類のデータを同一の媒体に記録しても良い。また、通常のＭＰＥＧフォーマットを利用して、画像データ及び音声データは通常通りのフォーマットとし、他の制御データで未使用の制御データ部分を風量調節器制御データ用に利用することで、これら３種類のデータを同一の媒体に記録しても良い。また、実施の形態３は実施の形態１を基本構成としているが、実施の形態２をもとに構成してもよい。
【００３３】
また、実施の形態１乃至３において、送風路に設けた吹出し口の数は４つである例を示したが、吹出した気流を衝突させることが出来れば、２つまたはそれ以外の数であっても良い。また、実施の形態１乃至３では、図２〜５の断面図において送風路に設けた吹出し口が画面３の上部に配置される例を示したが、この配置にこだわらず、断面図において例えば、吹出し口を画面３と同一平面上や、画面３より下部に設けてもよい。また、実施の形態１乃至３における画像表示装置は、２０インチ程度の壁掛けサイズや、大型プロジェクタテレビサイズ等であってもよく、特に大きさは限定されない。但し、画面のサイズが大きいほど特許文献１に対する本発明の効果が顕著となる。すなわち、画面のサイズが大きくなると、特許文献１における２つの吹出し口の間隔が大きくなり、画面の表面から吹出される臨場感がより低下するが、本発明ではたとえ各吹出し口の距離が離れても、画面の表面から風を吹出すことができるからである。また、図２の（ｂ）、図４の（ｂ）において、吹出し口の出口の形状は長方形であるが、円形や、楕円形などであっても良い。また、図２の（ａ）、図４の（ａ）、図７において画像表示部の形状は円形であるものを示したが、長方形であってもよい。
【図面の簡単な説明】
【００３４】
【図１】本発明の実施の形態１による画像表示装置の斜視図である。
【図２】本発明の実施の形態１による画像表示装置の構成図である。
【図３】本発明の実施の形態１による画像表示装置による気流を説明する図である。
【図４】本発明の実施の形態２による画像表示装置の構成図である。
【図５】本発明の実施の形態２による画像表示装置による気流を説明する図である。
【図６】本発明の実施の形態３による画像表示装置のブロック図である。
【図７】本発明の実施の形態３による画像表示装置の構成図である。
【符号の説明】
【００３５】
１  筐体、２  画像表示部、３  画面、４ａ、４ｂ、４ｃ、４ｄ  吹出し口、５  送風機、６ａ、６ｂ  送出部、７ａ、７ｂ  送風路、８  画像表示装置、９ａ、９ｂ、９ｃ、９ｄ、送風機、１０ａ、１０ｂ、１０ｃ、１０ｄ  送出部、１１ａ、１１ｂ、１１ｃ、１１ｄ  送風路、１２  音声出力部、１３  風量調節器制御部、１４  風量調節器
【図１】
2006352424.tif 000003
【図２】
2006352424.tif 000004
【図３】
2006352424.tif 000005
【図４】
2006352424.tif 000006
【図５】
2006352424.tif 000007
【図６】
2006352424.tif 000008
【図７】
2006352424.tif 000009